(57)【要約】【課題】設置作業が容易なコールドドラフト防止装置と、窓開口の下方の床面にこのコールドドラフト防止装置が設置された居室とを提供する。【解決手段】コールドドラフト防止装置１は、上面に配管配設用の溝３が設けられた略長方形板状の基板２と、該溝３内に引き回された熱媒体流通用配管としての温水配管４と、該基板２の長手方向の両側面に沿ってそれぞれ配置された１対の小根太５，５と、該基板２及び各小根太５の上面に跨って配置され、該基板２及び各小根太５の双方に付着されていると共に、該溝３内の配管４に接している均熱シート６と、該基板２の下面と各小根太５の下面とに跨って配置され、該基板２及び各小根太５の双方に付着された裏張りシート７を備えている。【選択図】図２
2010101602.tif 000002
【特許請求の範囲】
【請求項１】
居室の窓開口の下方の床面に設置されるコールドドラフト防止装置において、
上面に配管配設用の溝が設けられた略長方形状の基板と、
該溝内に引き回された熱媒体流通用の配管と、
該基板の長手方向の両側面に沿ってそれぞれ配置された小根太と、
該基板の上面と小根太の上面とに跨って配置され、該基板及び小根太にそれぞれ付着されていると共に、該溝内の配管に接している均熱シートと
を備えたことを特徴とするコールドドラフト防止装置。
【請求項２】
請求項１において、該コールドドラフト防止装置は、さらに、該基板の下面と小根太の下面とに跨って配置され、該基板及び小根太にそれぞれ付着された裏張りシートを備えたことを特徴とするコールドドラフト防止装置。
【請求項３】
請求項１又は２において、前記基板の上面に複数条の前記溝が設けられており、各溝は、それぞれ、該基板の長手方向と略平行方向に延在しており、
隣り合う該溝同士の間隔は１〜２０ｍｍであることを特徴とするコールドドラフト防止装置。
【請求項４】
請求項１又は２において、該コールドドラフト防止装置は、さらに、前記溝内の配管に接するように該溝の内面から基板上面にかけて延設された均熱板を備えたことを特徴とするコールドドラフト防止装置。
【請求項５】
請求項４において、前記基板の上面に複数条の該溝が設けられており、各溝は、それぞれ、該基板の長手方向と略平行方向に延在しており、
隣り合う該溝同士の間隔は２０〜５０ｍｍであることを特徴とするコールドドラフト防止装置。
【請求項６】
請求項１ないし５のいずれか１項において、前記均熱シートの上面に、金属製仕上げ層が設けられていることを特徴とするコールドドラフト防止装置。
【請求項７】
請求項１ないし５のいずれか１項において、前記均熱シートは、金属製仕上げ材よりなることを特徴とするコールドドラフト防止装置。
【請求項８】
窓開口を有する居室において、
該窓開口の下方の床面に請求項１ないし７のいずれか１項に記載のコールドドラフト防止装置が設置され、
該居室の床面のその他の部位に床暖房マットが設置されていることを特徴とする居室。
【請求項９】
請求項８において、該コールドドラフト防止装置は請求項１ないし５のいずれか１項に記載のコールドドラフト防止装置であり、
該床暖房マット及びコールドドラフト防止装置の上に仕上げ層が設けられていることを特徴とする居室。
【請求項１０】
請求項９において、該コールドドラフト防止装置の上面と床暖房マットの上面とが略同レベルであることを特徴とする居室。
【請求項１１】
請求項１０において、該床暖房マットは、
上面に配管配設用の溝が設けられた基板と、
該溝内に引き回された熱媒体流通用の配管と、
該溝内の配管に接するように基板上面に配置された均熱シートと
を備えており、
該床暖房マットの基板と前記コールドドラフト防止装置の基板とが略同厚さであることを特徴とする居室。
【請求項１２】
請求項８において、該コールドドラフト防止装置は請求項６又は７に記載のコールドドラフト防止装置であり、
前記床暖房マットの上に、該コールドドラフト防止装置の上面と略同レベルとなるように仕上げ層が設けられていることを特徴とする居室。
【発明の詳細な説明】
【技術分野】
【０００１】
本発明は、居室の窓開口の下方の床面に設置されるコールドドラフト防止装置に係り、特に、熱媒体流通用の配管を備え、この配管を熱媒体が流れることにより床面を加温してコールドドラフトを防止するコールドドラフト防止装置に関する。
【０００２】
また、本発明は、窓開口の下方の床面にこのコールドドラフト防止装置が設置されると共に、該床面のその他の部位に床暖房マットが設置された居室に関する。
【背景技術】
【０００３】
基板の上面の溝に温水配管を引き回した床暖房マットを居室の床に敷設した床暖房構造が周知である。
【０００４】
一般的に、床暖房マットは、居室の床面積の７０％程度の敷設率となるように敷設される。この際、床暖房マットは、通常、居住者等が着座する位置を中心として敷設されるため、床の壁や窓開口付近の領域には床暖房マットが敷設されない。
【０００５】
この場合、窓付近においては暖房されないため、窓付近で冷却された空気が床面に降下してくるコールドドラフト現象が生じ易い。
【０００６】
このコールドドラフトを防止するために、窓開口付近まで床暖房マットを敷設することが考えられるが、この場合、床暖房マットのうち窓開口付近の部分のみ放熱量を大きくすることは困難であるため、暖房の快適性を維持しつつ十分にコールドドラフトを防止することができないことがある。
【０００７】
居室の窓開口の下方の床面にコールドドラフト防止専用の装置を設置することも周知である。
【０００８】
特開２００４−１１６９７４号公報には、居室の窓開口の下方の床面に溝を設け、この溝内に温水配管を引き回し、この溝を金属製の通気板で覆ったコールドドラフト防止装置が記載されている。通気板には、溝内と居室内とを連通する通気用のスリットが設けられている。この通気板は、温水配管に接するように設置されている。
【０００９】
温水配管に温水が流れると、この温水の熱により温水配管及び通気板が加温され、これらの周囲の空気が暖められる。この暖気が窓に沿って上昇することにより、コールドドラフトが防止される。
【特許文献１】特開２００４−１１６９７４号公報
【発明の開示】
【発明が解決しようとする課題】
【００１０】
上記特開２００４−１１６９７４号公報にあっては、コールドドラフト防止装置を設置するに当っては、まず床面の溝に温水配管を引き回し、次いで、この溝を覆うように通気板を取り付ける必要があるため、設置作業が煩雑である。
【００１１】
本発明は、設置作業が容易なコールドドラフト防止装置を提供することを目的とする。また、本発明は、窓開口の下方の床面にこのコールドドラフト防止装置が設置されると共に、該床面のその他の部位に床暖房マットが設置された居室を提供することを目的とする。
【課題を解決するための手段】
【００１２】
本発明（請求項１）のコールドドラフト防止装置は、居室の窓開口の下方の床面に設置されるコールドドラフト防止装置において、上面に配管配設用の溝が設けられた略長方形状の基板と、該溝内に引き回された熱媒体流通用の配管と、該基板の長手方向の両側面に沿ってそれぞれ配置された小根太と、該基板の上面と小根太の上面とに跨って配置され、該基板及び小根太にそれぞれ付着されていると共に、該溝内の配管に接している均熱シートとを備えたことを特徴とするものである。
【００１３】
請求項２のコールドドラフト防止装置は、請求項１において、該コールドドラフト防止装置は、さらに、該基板の下面と小根太の下面とに跨って配置され、該基板及び小根太にそれぞれ付着された裏張りシートを備えたことを特徴とするものである。
【００１４】
請求項３のコールドドラフト防止装置は、請求項１又は２において、前記基板の上面に複数条の前記溝が設けられており、各溝は、それぞれ、該基板の長手方向と略平行方向に延在しており、隣り合う該溝同士の間隔は１〜２０ｍｍであることを特徴とするものである。
【００１５】
請求項４のコールドドラフト防止装置は、請求項１又は２において、該コールドドラフト防止装置は、さらに、前記溝内の配管に接するように該溝の内面から基板上面にかけて延設された均熱板を備えたことを特徴とするものである。
【００１６】
請求項５のコールドドラフト防止装置は、請求項４において、前記基板の上面に複数条の該溝が設けられており、各溝は、それぞれ、該基板の長手方向と略平行方向に延在しており、隣り合う該溝同士の間隔は２０〜５０ｍｍであることを特徴とするものである。
【００１７】
請求項６のコールドドラフト防止装置は、請求項１ないし５のいずれか１項において、前記均熱シートの上面に、金属製仕上げ層が設けられていることを特徴とするものである。
【００１８】
請求項７のコールドドラフト防止装置は、請求項１ないし５のいずれか１項において、前記均熱シートは、金属製仕上げ材よりなることを特徴とするものである。
【００１９】
本発明（請求項８）の居室は、窓開口を有する居室において、該窓開口の下方の床面に請求項１ないし７のいずれか１項に記載のコールドドラフト防止装置が設置され、該居室の床面のその他の部位に床暖房マットが設置されていることを特徴とするものである。
【００２０】
請求項９の居室は、請求項８において、該コールドドラフト防止装置は請求項１ないし５のいずれか１項に記載のコールドドラフト防止装置であり、該床暖房マット及びコールドドラフト防止装置の上に仕上げ層が設けられていることを特徴とするものである。
【００２１】
請求項１０の居室は、請求項９において、該コールドドラフト防止装置の上面と床暖房マットの上面とが略同レベルであることを特徴とするものである。
【００２２】
請求項１１の居室は、請求項１０において、該床暖房マットは、上面に配管配設用の溝が設けられた基板と、該溝内に引き回された熱媒体流通用の配管と、該溝内の配管に接するように基板上面に配置された均熱シートとを備えており、該床暖房マットの基板と前記コールドドラフト防止装置の基板とが略同厚さであることを特徴とするものである。
【００２３】
請求項１２の居室は、請求項８において、該コールドドラフト防止装置は請求項６又は７に記載のコールドドラフト防止装置であり、前記床暖房マットの上に、該コールドドラフト防止装置の上面と略同レベルとなるように仕上げ層が設けられていることを特徴とするものである。
【発明の効果】
【００２４】
本発明（請求項１）のコールドドラフト防止装置にあっては、基板の上面の溝に温水配管が引き回されると共に、この基板と、この基板の両側に配置された各小根太とが、これらの上面に跨って付着された均熱シートによって一体化されている。これにより、居室の床の施工時には、この一体化されたコールドドラフト防止装置を窓開口の下方の床面に設置すればよく、該基板、温水配管、各小根太及び均熱シートを別々に設置することが不要であるため、コールドドラフト防止装置の設置作業が容易である。
【００２５】
請求項２の態様にあっては、さらに、該基板の下面と各小根太の下面とに跨って裏張りシートが付着されているので、該基板と各小根太とが強固に連結されている。そのため、この一体化されたコールドドラフト防止装置の取り扱い性も良好である。
【００２６】
請求項３のように、基板の隣り合う溝同士の間隔を１〜２０ｍｍとすることにより、コールドドラフト防止装置の上面の単位面積当たりの放熱量が大きくなるので、効果的に窓開口の下方の床面が加温されてコールドドラフトが防止される。
【００２７】
請求項４の態様にあっては、各温水配管と接するように各溝の内面から基板の上面にかけて延在する均熱板が設けられているので、各温水配管の上面からだけでなく、側面及び下面からも均熱板を介して均熱シートに熱が伝えられるので、各温水配管から均熱シートに効率よく熱が伝えられる。これにより、窓開口の下方の床面を十分に加温してコールドドラフトを防止することができる。
【００２８】
この場合、請求項５のように、各温水配管から均熱シートに伝わる熱量が大きくなるので、隣り合う溝同士の間隔は、請求項３よりも大きい２０〜５０ｍｍとされることが好ましい。
【００２９】
請求項６，７のように、均熱シートの上面に金属製仕上げ層を設けるか、又は均熱シートを金属製仕上げ材により構成することより、居室の床施工時には、コールドドラフト防止装置の上に仕上げ層を形成することなく、このコールドドラフト防止装置の上面が床面に露呈するように施工することができるので、より効果的にコールドドラフトを防止することが可能となる。
【００３０】
本発明（請求項８）の居室は、窓開口を有する居室において、かかる本発明のコールドドラフト防止装置が該窓開口の下方の床面に設置され、床面のその他の部位に床暖房マットが設置されたものである。この居室にあっては、床施工時におけるコールドドラフト防止装置の設置作業が容易である。
【００３１】
なお、このようにコールドドラフト防止装置と床暖房マットとを別々に設置することにより、コールドドラフト防止装置の放熱量を床暖房マットよりも大きくすることが可能である。これにより、床暖房マットによる暖房の快適性を維持しつつ、コールドドラフト防止装置によって十分にコールドドラフトを防止することができる。
【００３２】
請求項１〜５のコールドドラフト防止装置を用いた場合には、請求項９のように、居室の床施工時には、このコールドドラフト防止装置を窓開口の下方の床面に設置すると共に、床面のその他の部位に床暖房マットを設置した後、これらの上に仕上げ層を形成する。
【００３３】
この場合、請求項１０のように、コールドドラフト防止装置と床暖房マットとを床面に設置したときにこれらの上面が略同レベルとなるように構成することにより、この仕上げ層を形成する床仕上げ材として、該コールドドラフト防止装置上と床暖房マット上とで略同厚さのものを用いることができるので、この仕上げ層の形成作業を効率よく行うことができる。
【００３４】
この場合、請求項１１のように、コールドドラフト防止装置の基板と床暖房マットの基板とを略同厚さとすることにより、簡易な構成にて且つ容易にコールドドラフト防止装置及び床暖房マットの設置後の上面レベルを略同レベルとすることができる。
【００３５】
請求項６，７のコールドドラフト防止装置を用いた場合には、請求項１２のように、居室の床施工時には、このコールドドラフト防止装置を窓開口の下方の床面に設置すると共に、床面のその他の部位に床暖房マットを設置した後、該床暖房マットの上に、このコールドドラフト防止装置の上面と略同レベルとなるように仕上げ層を形成する。この居室にあっては、コールドドラフト防止装置上面の金属製仕上げ層が床面に露呈しているので、窓開口の下方の床面の放熱量を大きくして効果的にコールドドラフトを防止することができる。
【発明を実施するための最良の形態】
【００３６】
以下、図面を参照して実施の形態について説明する。なお、以下の各実施の形態は本発明の一例であり、本発明は以下の各実施の形態以外の形態をもとりうる。
【００３７】
［第１の実施の形態に係るコールドドラフト防止装置及びこのコールドドラフト防止装置が設置された居室］
第１図は第１の実施の形態に係るコールドドラフト防止装置の平面図、第２図は第１図のII−II線に沿う断面図、第３図はこのコールドドラフト防止装置の第２図と同様部分の分解断面図、第４図はこのコールドドラフト防止装置が設置された居室の平面図、第５図は第４図のＶ−Ｖ線に沿う断面図である。なお、第１図では均熱シートの図示が省略されている。また、第４図では均熱シート及び床仕上げ材の図示が省略されている。
【００３８】
＜コールドドラフト防止装置１の構成＞
コールドドラフト防止装置１は、居室の窓開口Ｏの下方の床面（床下地）Ｆに設置されるものである。窓開口Ｏにはガラス窓Ｗが取り付けられている。なお、本発明において、コールドドラフト防止装置が設置される床面とは、出窓のカウンター部分や腰壁の上面等も含む。
【００３９】
このコールドドラフト防止装置１は、上面に配管配設用の溝３が設けられた略長方形板状の基板２と、該溝３内に引き回された熱媒体流通用配管としての温水配管４と、該基板２の長手方向の両側面に沿ってそれぞれ配置された１対の小根太５，５と、該基板２及び各小根太５の上面に跨って配置され、該基板２及び各小根太５の双方に付着されていると共に、該溝３内の配管４に接している均熱シート６と、該基板２の下面と各小根太５の下面とに跨って配置され、該基板２及び各小根太５の双方に付着された裏張りシート７等を備えている。
【００４０】
第２，３図の通り、この実施の形態では、基板２の上面に６条の溝３が設けられ、これらの溝３内にそれぞれ温水配管４が配設されている。
【００４１】
各溝３は、それぞれ基板２の長手方向と略平行方向に延在している。この実施の形態では、第１図の通り、各溝３は、それぞれ基板２の一端側から他端側まで略一直線状に延在している。これらの溝３同士は、該基板２の短辺方向において略等間隔にて配列されている。以下、第２，３図において左端側の溝３から順に１列目の溝３、２列目の溝３、３列目の溝３、４列目の溝３、５列目の溝３及び６列目の溝３と称する。
【００４２】
このコールドドラフト防止装置１においては、隣り合う溝３，３同士の間隔Ｗ１（第３図）は１〜２０ｍｍ、特に５〜１５ｍｍ程度であることが好ましい。
【００４３】
なお、本発明においては、基板２の上面に設けられる溝３の本数（即ち基板２上を引き回される温水配管４の本数）及び隣り合う溝３，３同士の間隔Ｗ１は、それぞれ、各温水配管４に所定温度の温水が流れたときに、このコールドドラフト防止装置１の上面における単位面積当たりの放熱量が１５０〜３００Ｗ／ｍ２、特に２００〜２５０Ｗ／ｍ２程度となるように適宜決定される。
【００４４】
基板２の長手方向の両端側には、それぞれヘッダ８，９が設けられている。
【００４５】
この実施の形態では、第１図における基板２の左端側に配置されたヘッダ８は、温水源（図示略）からの温水供給配管２０（第４図）が接続される温水供給配管接続口８ａと、各温水配管４が接続された５個の温水配管接続口８ｂとを有している。温水供給配管接続口８ａからヘッダ８内に導入された温水は、該ヘッダ８内の温水流路（図示略）を通って各温水配管接続口８ｂに分配される。
【００４６】
第１図における基板２の右端側に配置されたヘッダ９は、６個の温水配管接続口９ａを有している。これらの温水配管接続口９ａは、該ヘッダ９内の温水流路（図示略）を介して相互に連通している。
【００４７】
前記１列目〜６列目の各溝３内に引き回された各温水配管４（以下、これらをそれぞれ１列目〜６列目の温水配管４と称する。）の該右端側は、それぞれヘッダ９の各温水配管接続口９ａに接続されている。また、１列目〜５列目の各温水配管４の該左端側は、それぞれヘッダ８の各温水配管接続口８ｂに接続されている。６列目の温水配管４の該左端側は、ヘッダ８に接続されておらず、基板２の該左端側の側面に臨んでいる。
【００４８】
この６列目の温水配管４の該左端側には、温水源に温水を返送するための温水返送配管２１（第４図）が接続される。
【００４９】
即ち、この実施の形態では、温水源から温水供給配管２０を介してヘッダ８に導入された温水は、該ヘッダ８において１列目〜５列目の各温水配管４に分配され、これらの温水配管４を流れてヘッダ９に達した後、該ヘッダ９で合流して６列目の温水配管４に流入し、この６列目の温水配管４を流れて温水返送配管２１に返送される。
【００５０】
なお、温水の流通経路はこれに限定されない。
【００５１】
このコールドドラフト防止装置１においては、基板２の厚さＴ１（第３図）は、後述の床暖房マット１０の基板１１の厚さと略同等となっている。
【００５２】
この実施の形態では、第２，３図に示すように、基板２は、下面に各溝３が露呈する厚さとなっている。第２図の通り、この実施の形態では、基板２の上面からの各溝３の深さは、温水配管４の外径と略等しいものとなっている。即ち、基板２の厚さも、温水配管４の外径と略等しいものとなっている。
【００５３】
温水配管４は、第２，３図の通り、略円形の断面形状となっている。この温水配管３の外径は、通常、６〜１３ｍｍ、特に７〜１２ｍｍであることが好ましい。この実施の形態では、第２図の通り、各溝３の長手方向と直交方向（即ち各溝３の幅方向）の断面形状は、その底部が温水配管４の外面に沿うように半円弧状に湾曲した略Ｕ字形となっている。この溝３の底部の幅方向の中央付近が、基板２を貫通して該基板２の下面に露呈している。ただし、溝３の断面形状はこれに限定されるものではなく、例えば基板２の上面から該溝３の底面まで幅が略均等の略方形の断面形状であってもよい。
【００５４】
基板２の厚さＴ１は、通常、６〜１５ｍｍ、特に７〜１２ｍｍであることが好ましい。とりわけ、基板２の厚さＴ１は、通常、温水配管４の外径＋０．１〜２ｍｍ、特に温水配管４の外径＋０．１〜０．２ｍｍ程度であることが好ましい。
【００５５】
なお、本発明においては、基板２は、その下面に溝３が露呈しない肉厚のものであってもよい。
【００５６】
基板２の短辺方向の幅Ｗ２（第３図）即ち小根太５，５同士の間隔は、通常、６０〜１５０ｍｍ、特に９０〜１２５ｍｍ程度であることが好ましい。
【００５７】
基板２の長さは、各小根太５の長さＬ（第１図）と略同寸法とされている。以下、この基板２及び各小根太５の長さＬをコールドドラフト防止装置１の長さということがある。
【００５８】
一般的に、窓開口Ｏの横幅は、実質的に１間（１８１８ｍｍ）又は１／２間（９０９ｍｍ）の整数倍となっている。なお、実質的に１間とは、１８００〜１９００ｍｍの範囲にあることをいい、実質的に１／２間とは、９００〜１０００ｍｍの範囲にあることをいう。本発明においては、コールドドラフト防止装置１の長さＬは、実質的に１間又は１／２間の整数倍、あるいはそれよりも若干（例えば２０〜５０ｍｍ程度）小さい長さであることが好ましい。
【００５９】
各小根太５の幅Ｗ３（第３図）は、通常、２０〜５０ｍｍ、特に３０〜４５ｍｍ程度であることが好ましい。
【００６０】
各小根太５の厚さは、基板２の厚さＴ１と略同等かそれよりも所定厚さまで厚さが小さいこと（例えば基板２の厚さＴ１−０．２〜０．５ｍｍ程度）が好ましい。
【００６１】
第２図の通り、均熱シート６は、基板２の上面及びその両側の各小根太５の上面を連続して覆うように配置され、接着剤（図示略）によりこれらの上面に接着されている。前述の通り、各溝３の深さは温水配管４の外径と略同等なので、第２図の如く各溝３内の温水配管４の上面がこの均熱シート６の下面に接する。
【００６２】
この均熱シート６は、金属箔などの、高熱伝導材よりなることが好ましい。
【００６３】
裏張りシート７は、基板２の下面及びその両側の各小根太５の下面を連続して覆うように配置され、接着剤（図示略）によりこれらの下面に接着されている。この実施の形態では、この裏張りシート７により各溝３の底面が塞がれている。なお、裏張りシート７は、この実施の形態では、基板２及び各小根太５の下面全体を覆っているが、基板２の下面と各小根太５の下面との継目付近にのみ跨って延在するものであってもよい。この場合、各溝３の底面を覆う専用の裏張りシートが設けられてもよい。
【００６４】
この実施の形態では、該裏張りシート７も、均熱シート６と同様の金属箔等により構成されている。ただし、裏張りシート７を構成する材料はこれに限定されない。例えば、裏張りシート７は、紙や不織布、合成樹脂シート等の低熱伝導材により構成されてもよい。
【００６５】
＜床暖房マット１０の構成＞
第４図に示すように、床暖房マット１０は、複数枚の略長方形の薄板状の基板１１と、隣り合う基板１１，１１同士の間にそれぞれ配設された複数本の小根太１２と、各基板１１の上面に設けられた配管配設用の溝１３（第５図）と、この溝１３内に引き回された温水配管１４と、各基板１１の上面を覆うように配置され、各基板１１の上面に付着された均熱シート１５（第５図）等を備えている。
【００６６】
この床暖房マット１０は、第４図の通り、その平面積が居室の床面Ｆの面積の６０〜７０％程度の大きさとなっている。
【００６７】
各基板１１は、各々の長側辺を隣接する小根太１２に突き合わせるようにして配列されている。各小根太１２の一端側又は他端側には、それぞれ、隣り合う基板１１，１１同士を連結した連結部１６が設けられている。各連結部１６の小根太１２と反対側には小小根太１７が取り付けられている。なお、第４図においては、各連結部１６の上面に、各連結部１６において釘打ちが行われないように注意を促すためのコーションマーク（符号略）が貼り付けられている。
【００６８】
この実施の形態では、各基板１１の上面にそれぞれ４条の溝１３が設けられている。各基板１１上においては、各溝１３は主として該基板１１の長手方向に延在している。隣り合う基板１１，１１の各溝１３同士は、これらの間の連結部１６を通って互いに連続したものとなっている。
【００６９】
一般的に、床暖房マット１０においては、その上面の単位面積当たりの放熱量が１００〜１４０Ｗ／ｍ２特に１１０〜１２０Ｗ／ｍ２となるように、各基板１１における溝１３，１３同士の間隔は、好ましくは、コールドドラフト防止装置１の溝３，３同士の間隔Ｗ１よりも大きい５０〜１５０ｍｍ、特に７５〜１００ｍｍ程度とされる。
【００７０】
この実施の形態では４本の温水配管１４が設けられている。これらの温水配管１４は、それぞれ、各溝１３内に収容されて各基板１１上を連続して引き回されている。
【００７１】
この床暖房マット１０の第４図における左下のコーナー部付近に切欠き状のヘッダ設置用スペース１０ａが設けられている。各温水配管１４は、両端がそれぞれ該ヘッダ設置用スペース１０ａに臨んでいる。即ち、各温水配管１４は、該ヘッダ設置用スペース１０ａから出発して各基板１１上を周回し、再び該ヘッダ設置用スペース１０ａに戻るように引き回されている。
【００７２】
該ヘッダ設置用スペース１０ａ内にはヘッダ１８が設置されている。このヘッダ１８に各温水配管１４の両端がそれぞれ接続されている。
【００７３】
この実施の形態では、第５図に示すように、基板１１は、下面に各溝１３が露呈する厚さとなっている。第５図の通り、基板１１の上面からの各溝１３の深さは、温水配管１４の外径と略等しいものとなっている。即ち、基板１１の厚さも、温水配管１４の外径と略等しいものとなっている。
【００７４】
この温水配管１４は、コールドドラフト防止装置１の温水配管４と外径が略同じ大きさのものであり、基板１１の厚さも、該コールドドラフト防止装置１の基板２の厚さＴ１と略同厚さとなっている。この床暖房マット１における各基板１１の厚さ及び温水配管１４の外径の好ましい寸法は、コールドドラフト防止装置１における基板２及び温水配管４と同様である。
【００７５】
この床暖房マット１における各小根太１２（及び小小根太１７）の好ましい厚さ及び幅寸法も、コールドドラフト防止装置１における各小根太５と同様である。
【００７６】
この床暖房マット１においても、各溝１３の幅方向の断面形状は、その底部が温水配管１４の外面に沿うように半円弧状に湾曲した略Ｕ字形となっており、この溝１３の底部の幅方向の中央付近が、各基板１１を貫通して該基板１１の下面に露呈している。ただし、溝１３の断面形状はこれに限定されるものではなく、例えば基板１１の上面から該溝１３の底面まで幅が略均等の略方形の断面形状であってもよい。
【００７７】
各基板１１の下面には、各溝１３の底面を塞ぐ裏張りシート（図示略）が貼り付けられている。
【００７８】
なお、本発明においては、この床暖房マット１の各基板１１は、その下面に溝１３が露呈しない肉厚のものであってもよい。
【００７９】
この実施の形態では、前記均熱シート１５は、床暖房マット１の上面全体を連続して覆う大きさ及び形状となっている。各温水配管１４を各溝１３に収容しつつ上記のように引き回した後、該均熱シート１５が床暖房マット１上に配置され、接着剤等により該均熱シート１５が各基板１１、各小根太１２及び小小根太１７の上面に貼り付けられている。
【００８０】
このように各基板１１、各小根太１２及び小小根太１７の上面に連続して均熱シート１５を貼着することにより、床暖房マット１を構成する各基板１１及びこれらの間の各小根太１２並びに各小小根太１７が連結されている。
【００８１】
＜コールドドラフト防止装置１及び床暖房マット１０を設置した居室の床の施工手順＞
次に、コールドドラフト防止装置１及び床暖房マット１０を設置した居室の床の施工手順について説明する。
【００８２】
まず、コールドドラフト防止装置１（裏張りシート７）の下面に接着剤を付着させ、このコールドドラフト防止装置１を居室の窓開口Ｏの下方の床面（床下地）Ｆに接着する。その際、第４図の通り、該コールドドラフト防止装置１の長手方向を窓開口Ｏの幅方向とし、一方の小根太５を窓開口Ｏの下縁の室内側に突き合わせるようにして配置する。なお、接着剤としては、湿気反応型ウレタン接着剤が好適である。
【００８３】
次いで、このコールドドラフト防止装置１のヘッダ８の温水供給配管接続口８ａに、温水源からの温水供給配管２０を接続すると共に、前記６列目の温水配管１４に、該温水源への温水返送配管２１を接続する。
【００８４】
また、床面Ｆの中央付近に床暖房マット１０を敷設し、この床暖房マット１０のヘッダ１８に温水源からの温水供給配管２２と、該温水源への温水返送配管２３とをそれぞれ接続する。
【００８５】
なお、該温水源は５５〜６５°の温水と７５〜８５°の温水とを供給することが可能なものとなっており、コールドドラフト防止装置１へは温水供給配管２０及び温水返送配管２１を介して７５〜８５°特に好ましくは７８〜８２°の温水が供給され、床暖房マット１０へは温水供給配管２２及び温水返送配管２３を介して５５〜６５°特に好ましくは５８〜６２°の温水が供給される。ただし、コールドドラフト防止装置１と床暖房マット１０とへの温水供給方法及び温水温度はこれに限定されない。
【００８６】
次に、床面Ｆの残りの部分を覆うようにダミー材２４（第５図）を配設する。通常、このダミー材２４は、基板２，１１と略同厚さの合板を必要な大きさ及び形状にカットしたり継ぎ足したりして製作される。
【００８７】
なお、コールドドラフト防止装置１、床暖房マット１０及びダミー材２４を設置する順番は、これに限定されない。例えば床面Ｆ上に、コールドドラフト防止装置１及び床暖房マット１０の設置スペースを残して先にダミー材２４を敷設し、後からコールドドラフト防止装置１及び床暖房マット１０を設置するようにしてもよい。また、コールドドラフト防止装置１と床暖房マット１０とは、どちらが先に床暖房マットＦ上に設置されてもよい。
【００８８】
次に、コールドドラフト防止装置１の上面、即ち均熱シート６の上面と、床暖房マット１０の各小根太１２及び各小小根太１７の上面と、ダミー材２４の上面とにそれぞれ接着剤（図示略）を塗付する。なお、この接着剤としても、湿気反応型ウレタン接着剤が好適である。
【００８９】
その後、これらのコールドドラフト防止装置１、床暖房マット１０及びダミー材２４の上から居室の床全体を覆うように、床仕上げ層を形成する床仕上げ材２５を敷設する。この実施の形態では、床仕上げ材２５はフローリング材である。詳しい図示は省略するが、この床仕上げ材２５は、その長手方向を床暖房マット１０の各小根太１２の延在方向と略直交方向として配設される。また、各床仕上げ材２５は、床暖房マット１０上に敷設された際に、その長側辺がいずれも各連結部１６に重ならず、必ず、各連結部１６を挟んだ小根太１２又は小小根太１７の一方に重なるように配設される。このようにすることにより、各床仕上げ材２５の長側辺を必ず小根太１２又は小小根太１７に釘打ちすることが可能となる。
【００９０】
コールドドラフト防止装置１上においては、この床仕上げ材２５を該コールドドラフト防止装置１の各小根太５に釘打ちする。
【００９１】
これにより、居室の床の施工が完了する。
【００９２】
このコールドドラフト防止装置１にあっては、基板２の上面の溝３に温水配管４が引き回されると共に、この基板２と、この基板２の両側に配置された各小根太５とが、これらの上面に跨って付着された均熱シート６によって一体化されている。これにより、居室の床の施工時には、この一体化されたコールドドラフト防止装置１を窓開口Ｏの下方の床面Ｆに設置すればよく、該基板２、温水配管４、各小根太５及び均熱シート６を別々に設置することが不要であるため、コールドドラフト防止装置１の設置作業が容易である。
【００９３】
また、このコールドドラフト防止装置１にあっては、このコールドドラフト防止装置１上に配置された床仕上げ材２５を基板２の両側の小根太５に釘打ちして固定することができるので、このコールドドラフト防止装置１上においても床仕上げ材２５を確実に固定することができる。また、一方の小根太５は窓開口Ｏの下縁に沿って配置されているので、この小根太５に床仕上げ材２５を釘留めすることにより、床面Ｆの窓開口Ｏ側の隅部においても確実に床仕上げ材２５を固定することができる。
【００９４】
この実施の形態では、さらに、該基板２の下面と各小根太５の下面とに跨って裏張りシート７が付着されているので、該基板２と各小根太５とが強固に連結されている。そのため、この一体化されたコールドドラフト防止装置１の取り扱い性も良好である。
【００９５】
この実施の形態では、コールドドラフト防止装置１の基板２と床暖房マット１０の基板１１とが略同厚さとなっているので、コールドドラフト防止装置１と床暖房マット１０とを床面Ｆ上に設置したときに、これらの上面が略同レベルとなる。これにより、床仕上げ材２５として、コールドドラフト防止装置１上から床暖房マット１０上まで共通品を用いることができので、効率良く床仕上げ層を形成することができる。
【００９６】
暖房時には、温水源からコールドドラフト防止装置１及び床暖房マット１０にそれぞれ温水が供給される。この実施の形態では、コールドドラフト防止装置１の溝３，３同士の間隔Ｗ１は、床暖房マット１０の各基板１１における溝１３，１３同士の間隔よりも小さいものとなっているので、コールドドラフト防止装置１の単位面積当たりの放熱量が床暖房マット１０の単位面積当たりの放熱量よりも大きい。これにより、床暖房マット１０による暖房の快適性を維持しつつ、コールドドラフト防止装置１によって十分に窓開口Ｏの下方の床面が加温されてコールドドラフトが防止される。
【００９７】
［第２の実施の形態に係るコールドドラフト防止装置］
第６図は第２の実施の形態に係るコールドドラフト防止装置の断面図である。
【００９８】
この実施の形態のコールドドラフト防止装置１Ａは、各温水配管４と接するように各溝３の内面から基板２の上面にかけて延在する均熱板３０を備えている。この均熱板３０は、均熱シート６と同様の、金属箔などの高熱伝導材よりなる。
【００９９】
該均熱板３０は、この実施の形態では、第６図の通り、各溝３の内面に沿うＵ字部３１と、該Ｕ字部３１の両端（上端）から基板２の上面に沿って側方に延出する１対のフランジ部３２とを有した略Ω字形断面形状のものである。なお、第６図では、隣り合う溝３，３にそれぞれ配置された各均熱板３０のフランジ部３２同士が連続したものとなっているが、各溝３に配置された均熱板３０同士は連続していなくてもよい。
【０１００】
この均熱板３０のＵ字部３１が溝３内に配置され、その上から温水配管４がこのＵ字部３１内に嵌め込まれるようにして該溝３に収容されている。
【０１０１】
このコールドドラフト防止装置１Ａにおいては、均熱板３０により、各温水配管４から均熱シート６に伝わる熱量が第１〜５図のコールドドラフト防止装置１よりも大きくなるので、隣り合う溝３，３同士の間隔は、該コールドドラフト防止装置１よりも大きい２０〜５０ｍｍ、特に２５〜３０ｍｍ程度であることが好ましい。
【０１０２】
このコールドドラフト防止装置１Ａのその他の構成は第１〜５図のコールドドラフト防止装置１と同様であり、第６図において第１〜５図と同一符号は同一部分を示している。
【０１０３】
このコールドドラフト防止装置１Ａの床面Ｆへの施工方法も前述の実施の形態と同様である。
【０１０４】
このコールドドラフト防止装置１Ａにあっても、第１〜５図のコールドドラフト防止装置１と同様の作用効果が奏される。
【０１０５】
このコールドドラフト防止装置１Ａにあっては、各温水配管４と接するように各溝３の内面から基板２の上面にかけて延在する均熱板３０が設けられているので、各温水配管４の上面からだけでなく、側面及び下面からも均熱板３０を介して均熱シート６に熱が伝えられるので、各温水配管４から均熱シート６に効率よく熱が伝えられる。これにより、窓開口Ｏの下方の床面を十分に加温してコールドドラフトを防止することができる。
【０１０６】
なお、この実施の形態でも基板２の上面には６条の溝３が設けられているが、均熱板３０により均熱シート６に伝わる熱量が大きくなることを考慮して、溝３の本数をこれよりも少なくしてもよい。これにより、基板２上を引き回される温水配管４の本数も少なくすることができる。
【０１０７】
［第３の実施の形態に係るコールドドラフト防止装置及びこのコールドドラフト防止装置が設置された居室］
第７図は第３の実施の形態に係るコールドドラフト防止装置の断面図、第８図はこのコールドドラフト防止装置が設置された居室の該コールドドラフト防止装置付近の断面図である。
【０１０８】
この実施の形態のコールドドラフト防止装置１Ｂは、上面に配管配設用の溝３が設けられた略長方形板状の基板２と、該溝３内に引き回された熱媒体流通用配管としての温水配管４と、該基板２の長手方向の両側面に沿ってそれぞれ配置された１対の小根太５，５と、該基板２及び各小根太５の上面に跨って配置され、該基板２及び各小根太５の双方に付着されていると共に、該溝３内の配管４に接している均熱シート６と、該基板２の下面と各小根太５の下面とに跨って配置され、該基板２及び各小根太５の双方に付着された裏張りシート７と、該均熱シート６の上側に設けられた、金属製床仕上げ材４０等を備えている。
【０１０９】
この金属製床仕上げ材４０としては、例えばアルミ等の金属板に樹脂被覆を施したものなどが用いられる。ただし、金属製床仕上げ材４０の材質及び構成はこれに限定されない。この金属製床仕上げ材４０の厚さは、１〜６ｍｍ、特に２〜４ｍｍ程度であることが好ましい。
【０１１０】
この金属製床仕上げ材４０は、均熱シート６と同様に、均熱シート２及びその両側の各小根太５の上面を連続して覆いうる大きさ及び形状とされている。この金属製床仕上げ材４０は、均熱シート６の上に配置され、接着剤（図示略）により該均熱シート６の上面に接着されている。この接着剤としては、湿気反応型ウレタン接着剤が好適である。
【０１１１】
第８図に示すように、この実施の形態では、コールドドラフト防止装置１Ｂの裏張りシート７の下面から金属製床仕上げ材４０の上面までの厚さが床暖房マット１０と床仕上げ材２５との厚さの合計と略同等となるように、基板２は第１〜５図の実施の形態よりも肉厚となっている。
【０１１２】
このコールドドラフト防止装置１Ｂのその他の構成は第１〜５図のコールドドラフト防止装置１と同様であり、第７，８図において第１〜５図と同一符号は同一部分を示している。
【０１１３】
次に、コールドドラフト防止装置１Ｂ及び床暖房マット１０を設置した居室の床の施工手順について説明する。
【０１１４】
まず、第８図のように、コールドドラフト防止装置１Ｂを居室の窓開口Ｏの下方の床面Ｆに配置して接着剤で接着する。この接着剤としては、湿気反応型ウレタン接着剤が好適である。
【０１１５】
次いで、このコールドドラフト防止装置１Ｂに温水源からの温水供給配管２０及び該温水源への温水返送配管２１を接続する。この配管２０，２１の接続方法は第１〜５図の実施の形態と同様である。
【０１１６】
また、床面Ｆの中央付近に床暖房マット１０を敷設し、この床暖房マット１０のヘッダ１８に温水源からの温水供給配管２２と、該温水源への温水返送配管２３とをそれぞれ接続する。
【０１１７】
次に、床面Ｆの残りの部分を覆うようにダミー材２４（第５図）を配設する。なお、この実施の形態でも、該ダミー材２４は、床暖房マット１０と略同等の厚さとなっている。
【０１１８】
なお、前述の通り、コールドドラフト防止装置１、床暖房マット１０及びダミー材２４を設置する順番は、これに限定されない。
【０１１９】
次に、床暖房マット１０の各小根太１２及び各小小根太１７の上面と、ダミー材２４の上面とにそれぞれ接着剤（図示略）を塗付する。その後、これらの床暖房マット１０及びダミー材２４の上に床仕上げ材２５を敷設する。この床仕上げ材２５は、居室の床面のうちコールドドラフト防止装置１Ｂを除いた部分全体を覆うように施工される。この実施の形態では、コールドドラフト防止装置１Ｂの厚さは、床暖房マット１０と床仕上げ材２５との厚さの合計と略等しい大きさとなっているので、床暖房マット１０及びダミー材２４の上に床仕上げ材２５を敷設すると、この床仕上げ材２５の上面がコールドドラフト防止装置１Ｂの上面、即ち金属製床仕上げ材４０の上面と略同レベルとなる。
【０１２０】
これにより、居室の床の施工が完了する。
【０１２１】
このコールドドラフト防止装置１Ｂにあっても、基板２と各小根太５とが、これらの上面に跨って付着された均熱シート６によって一体化されているので、居室の床の施工時には、この一体化されたコールドドラフト防止装置１を窓開口Ｏの下方の床面Ｆに設置すればよく、該基板２、温水配管４、各小根太５及び均熱シート６を別々に設置することが不要であるため、コールドドラフト防止装置１の設置作業が容易である。しかも、このコールドドラフト防止装置１Ｂにあっては、該均熱シート６の上面に金属製床仕上げ材４０が取り付けられており、床施工後はこの金属製床仕上げ材４０が床面に露呈するので、コールドドラフト防止装置１Ｂ上には床仕上げ材２５を敷設する必要がない。その分、居室の床施工時の作業が容易化される。
【０１２２】
この実施の形態でも、基板２の下面と各小根太５の下面とに跨って裏張りシート７が付着されているので、該基板２と各小根太５とが強固に連結されている。そのため、この一体化されたコールドドラフト防止装置１Ｂの取り扱い性も良好である。
【０１２３】
このように、コールドドラフト防止装置１Ｂにあっては、均熱シート６の上面に金属製床仕上げ材４０が設けられており、床施工後はこの金属製床仕上げ材４０が床面に露呈するので、コールドドラフト防止装置の上に床仕上げ材２５を敷設した場合に比べて効率よく窓開口Ｏの下方の床面を加温してコールドドラフトを防止することができる。
【０１２４】
なお、この実施の形態では、均熱シート６の上にさらに金属製床仕上げ材４０が設けられているが、均熱シート６自体を金属製床仕上げ材にて構成してもよい。この場合、床施工後は、この金属製床仕上げ材よりなる均熱シート６が床面に露呈する。このように構成することにより、均熱シート６の上にさらに金属製床仕上げ材４０を設けることが不要となり、構成部材点数の削減及びコールドドラフト防止装置１Ｂの組立作業の容易化を図ることができる。
【０１２５】
［第４の実施の形態に係るコールドドラフト防止装置］
第９図は第４の実施の形態に係るコールドドラフト防止装置の断面図である。
【０１２６】
この実施の形態のコールドドラフト防止装置１Ｃは、上記のコールドドラフト防止装置１Ｂにおいて、各温水配管４と接するように各溝３の内面から基板２の上面にかけて延在する均熱板３０が設けられた構成となっている。この均熱板３０は、前述の第６図のコールドドラフト防止装置１Ａと同様のものである。
【０１２７】
このコールドドラフト防止装置１Ｃにおいても、均熱板３０により、各温水配管４から均熱シート６に伝わる熱量がコールドドラフト防止装置１，１Ｂよりも大きくなるので、隣り合う溝３，３同士の間隔は、該コールドドラフト防止装置１，１Ｂよりも大きい２０〜５０ｍｍ、特に２５〜３０ｍｍ程度であることが好ましい。
【０１２８】
このコールドドラフト防止装置１Ｃのその他の構成は第７，８図のコールドドラフト防止装置１Ｂと同様であり、第９図において第７，８図と同一符号は同一部分を示している。
【０１２９】
このコールドドラフト防止装置１Ｃの床面Ｆへの施工方法も前述の実施の形態と同様である。
【０１３０】
このコールドドラフト防止装置１Ｃにあっても、第７，８図のコールドドラフト防止装置１Ｂと同様の作用効果が奏される。
【０１３１】
このコールドドラフト防止装置１Ｃにあっては、各温水配管４と接するように各溝３の内面から基板２の上面にかけて延在する均熱板３０が設けられているので、各温水配管４の上面からだけでなく、側面及び下面からも均熱板３０を介して均熱シート６に熱が伝えられるので、各温水配管４から均熱シート６に効率よく熱が伝えられる。これにより、窓開口Ｏの下方の床面を十分に加温してコールドドラフトを防止することができる。
【０１３２】
なお、この実施の形態でも基板２の上面には６条の溝３が設けられているが、均熱板３０により均熱シート６に伝わる熱量が大きくなることを考慮して、溝３の本数をこれよりも少なくしてもよい。これにより、基板２上を引き回される温水配管４の本数も少なくすることができる。
【０１３３】
［材質等］
上記各部材の材質の一例として次のものが挙げられるが、これらに限定されるものではない。
【０１３４】
コールドドラフト防止装置及び床暖房マットの基板としては、例えば発泡ポリプロピレン、発泡ポリスチレン、発泡ポリエチレン、発泡ポリウレタン等の発泡合成樹脂のほか木材等を用いることができる。発泡合成樹脂としては、断熱性の点から、内部の気泡が独立気泡となっているものが好ましい。
【０１３５】
小根太としては、木材や、釘打ち可能な合成木材又は合成樹脂あるいは合成樹脂発泡体等が好ましい。図示は省略するが、小根太本体の上下両面に補強板を貼り付けた構成であってもよい。
【０１３６】
均熱シート及び均熱板としては、アルミ又は銅等の金属箔が好ましい。
【０１３７】
均熱シートの表面にポリエチレンテレフタレート等のフィルムをラミネートすることにより、コールドドラフト防止装置の梱包時や運搬時等に均熱シートの破損を防止することができる。なお、このフィルムの材質はポリエチレンテレフタレート以外であってもよい。
【０１３８】
温水配管としては、可撓性のポリエチレン等の合成樹脂チューブや銅パイプが例示される。
【０１３９】
裏張りシートとしては、ポリエステル製などの薄い不織布、紙、金属樹脂ラミネートフィルムよりなるシート又は粘着テープ等を用いることが好ましい。
【０１４０】
金属製床仕上げ材としては、金属板、アルミ樹脂複合板が好ましい。
【０１４１】
上記の各実施の形態では、接着剤として湿気反応型ウレタン接着剤を用いているが、接着剤はこれに限定されない。
【０１４２】
上記の各実施の形態では、床暖房マット上に敷設される床仕上げ材としてフローリング材を用いているが、床仕上げ材はこれに限定されない。
【０１４３】
なお、上記の実施の形態は、いずれも本発明の一例を示すものであり、本発明は図示の構成に限定されない。
【０１４４】
上記の実施の形態は、配管に温水を流通させているが、水以外のオイル、不凍液等の熱媒体を流通させてもよい。床暖房マット１０は、冷媒を流通させて冷房にも使用しうるものであってもよい。
【図面の簡単な説明】
【０１４５】
【図１】第１の実施の形態に係るコールドドラフト防止装置の平面図である。
【図２】図１のII−II線に沿う断面図である。
【図３】図１のコールドドラフト防止装置の図２と同様部分の分解断面図である。
【図４】図１のコールドドラフト防止装置が設置された居室の平面図である。
【図５】図４のＶ−Ｖ線に沿う断面図である。
【図６】第２の実施の形態に係るコールドドラフト防止装置の断面図である。
【図７】第３の実施の形態に係るコールドドラフト防止装置の断面図である。
【図８】図７のコールドドラフト防止装置が設置された居室の該コールドドラフト防止装置付近の断面図である。
【図９】第４の実施の形態に係るコールドドラフト防止装置の断面図である。
【符号の説明】
【０１４６】
１，１Ａ〜１Ｃ  コールドドラフト防止装置
２  基板
３  配管配設用溝
４  温水配管
５  小根太
６  均熱シート
７  裏張りシート
８ａ，８ｂ  ヘッダ
１０  床暖房マット
１１  基板
１２  小根太
１３  配管配設用溝
１４  温水配管
１５  均熱シート
１７  小小根太
１８  ヘッダ
２０，２２  温水供給配管
２１，２３  温水返送配管
２４  ダミー材
２５  床仕上げ材
３０  均熱板
３０ａ  Ｕ字部
３０ｂ  フランジ部
４０  金属製床仕上げ材
【図１】
2010101602.tif 000003
【図２】
2010101602.tif 000004
【図３】
2010101602.tif 000005
【図４】
2010101602.tif 000006
【図５】
2010101602.tif 000007
【図６】
2010101602.tif 000008
【図７】
2010101602.tif 000009
【図８】
2010101602.tif 000010
【図９】
2010101602.tif 000011